(57)【要約】【課題】コンテナ内面を平滑面として収納した物品を保護できるとともに、高さ寸法に対する短辺寸法が２倍未満で、長辺寸法が２倍以上の寸法関係を有する場合でも、折り畳みや組み立てを容易に行うことができる折り畳みコンテナを提供する。【解決手段】長方形状の上枠１１及び底板１２と、上枠の短辺に連結した一対の短辺側壁板１３と、上枠の長辺に連結した一対の長辺側壁板１４とを備え、高さ寸法Ｈに対する短辺寸法Ｓが２倍未満で、長辺寸法Ｌが２倍以上の寸法関係を有する直方体形状の折り畳みコンテナにおいて、短辺側壁板の外側に、上端部が短辺側壁板の上下方向中間部外面に回動可能に連結され、下端部が底板の短辺の縁部にコンテナ内側に回動可能に連結されたヒンジ板１５を設けるとともに、組立状態では、短辺側壁板の内面両側縁部間に長辺側壁板が進入して短辺側壁板を起立状態に保持するように形成した。【選択図】    図１
2005008179.tif 000002
【特許請求の範囲】
【請求項１】
相対向する長方形状の上枠及び底板と、上枠の短辺にそれぞれコンテナ内側に回動可能に連結した一対の短辺側壁板と、上枠の長辺にそれぞれコンテナ内側に回動可能に連結した一対の長辺側壁板とを備え、高さ寸法に対する短辺寸法が２倍未満で、長辺寸法が２倍以上の寸法関係を有する直方体形状の折り畳みコンテナにおいて、前記短辺側壁板の外側に、上端部が短辺側壁板の上下方向中間部外面に回動可能に連結され、下端部が前記底板の短辺の縁部にコンテナ内側に回動可能に連結されたヒンジ板を設けるとともに、組立状態では、前記短辺側壁板の内面両側縁部間に前記長辺側壁板が進入して、その両端面で短辺側壁板を起立状態に保持するように形成したことを特徴とする折り畳みコンテナ。
【発明の詳細な説明】
【０００１】
【発明の属する技術分野】
本発明は、折り畳みコンテナに関し、詳しくは、柔らかい物品やフィルム袋等に充填された液体状乃至ゲル状の物品を収納するのに適した構造を有する直方体形状の折り畳みコンテナであって、特に、高さ寸法に対する短辺寸法が２倍未満の寸法関係を有する折り畳みコンテナに関する。
【０００２】
【従来の技術】
従来から、折り畳みコンテナとして、上枠（フレーム）及び底板と、上枠及び底板に対してそれぞれ回動可能に取付けられ、かつ、連結部にて内側へ折曲がるように連結された上下一対の側板と、上枠に対して回動可能に取付けられたあおり板とから構成されたものが知られている（例えば、特許文献１参照。）。
【０００３】
このような折り畳みコンテナは、折り畳まれた状態で上枠を上方に持上げ、両側板の連結部を伸ばした状態にした後、両あおり板を両側板間に立てて直立状態にすることにより箱状に組み立てることができ、逆に両あおり板を上枠に対して内方に回動させた後、両側板の連結部を内方に折曲げることにより折り畳むことができる。
【０００４】
【特許文献１】
特公平７−５１３３号公報
【０００５】
【発明が解決しようとする課題】
しかし、従来の折り畳みコンテナは、組み立てて物品を収納した状態でコンテナ上方から荷重が加わると、側板の連結部がコンテナの内方あるいは外方に屈曲した状態となる。したがって、収納物がフィルム袋等に充填された液体状乃至ゲル状のもの、例えば、醤油、油等である場合、さらに、これらが常温乃至低温で固化するもの、例えば、マーガリン、バター、チョコレート等を収納して保管、運搬した場合に、側板の屈曲によって収納物が変形してしまうおそれがあり、また、収納状態で固化してしまうとコンテナ内からの取り出しが困難になるという問題があった。さらに、連結部の状態によっては外面が柔らかい物品を傷つけてしまうこともある。このため、前述のような物品は、プラスチック製あるいは段ボール製の一体型の収納容器に収納するようにしていたが、物品を取り出した後の収納容器の処理に大きな問題があった。
【０００６】
そこで本発明は、コンテナ内面を平滑面とすることによって収納した物品を保護することができるとともに、高さ寸法に対する短辺寸法が２倍未満で、長辺寸法が２倍以上の寸法関係を有する場合でも、折り畳みや組み立てを容易に行うことができる折り畳みコンテナを提供することを目的としている。
【０００７】
【課題を解決するための手段】
上記目的を達成するため、本発明の折り畳みコンテナは、相対向する長方形状の上枠及び底板と、上枠の短辺にそれぞれコンテナ内側に回動可能に連結した一対の短辺側壁板と、上枠の長辺にそれぞれコンテナ内側に回動可能に連結した一対の長辺側壁板とを備え、高さ寸法に対する短辺寸法が２倍未満で、長辺寸法が２倍以上の寸法関係を有する直方体形状の折り畳みコンテナにおいて、前記短辺側壁板の外側に、上端部が短辺側壁板の上下方向中間部外面に回動可能に連結され、下端部が前記底板の短辺の縁部にコンテナ内側に回動可能に連結されたヒンジ板を設けるとともに、組立状態では、前記短辺側壁板の内面両側縁部間に前記長辺側壁板が進入して、その両端面で短辺側壁板を起立状態に保持するように形成したことを特徴としている。
【０００８】
【発明の実施の形態】
図１は組立状態の折り畳みコンテナを示す斜視図、図２は短辺側壁板を示す要部の断面正面図、図３は長辺側壁板を示す要部の断面側面図、図４は折り畳み状態の折り畳みコンテナを示す要部の断面正面図である。
【０００９】
この折り畳みコンテナは、平面視長方形状の上枠１１及び底板１２と、上枠１１の対向する短辺側にそれぞれ回動可能に設けられた一対の短辺側壁板１３と、上枠１１の長辺側にそれぞれ回動可能に連結された一対の長辺側壁板１４とを有する六面体構造の折り畳みコンテナであって、高さ寸法Ｈに対する短辺寸法Ｓが２倍未満で、長辺寸法Ｌが２倍以上の寸法関係を有しており、折り畳んだときには、図４に示すように、両長辺側壁板１４の先端部同士が重なり合う状態となり、両短辺側壁板１３の先端部同士は重なり合わない状態となっている。
【００１０】
前記短辺側壁板１３は、上枠１１の短辺に対して複数箇所の連結部１３ａで、前記長辺側壁板１４の上部は上枠１１の長辺に対して複数箇所の連結部１４ａで、それぞれコンテナ内側に回動可能な状態でそれぞれ連結されており、短辺側壁板１３の外側には、底板１２と短辺側壁板１３とを連結する２枚のヒンジ板１５が設けられている。ヒンジ板１５は、その下端部が底板１２にヒンジピン１６を介してコンテナ内側に回動可能な状態で連結されており、上端部は、短辺側壁板１３の上下方向中間部外面に設けられたヒンジ部１７にヒンジピン１８を介して回動可能に連結されている。
【００１１】
この折り畳みコンテナは、図１に示す組立状態で、両長辺側壁板１４の下部を内側に回動させた後、短辺側壁板１３の下部を内側に回動させると、ヒンジ板１５の上部がコンテナ内側方向に回動し、短辺側壁板１３とヒンジ板１５とが、ヒンジ部１７で折れ曲がるようにしてコンテナ内側に入り込み、図４に示すように、短辺側壁板１３、長辺側壁板１４及びヒンジ板１５が、上枠１１と底板１２との間に折り畳まれた状態となる。
【００１２】
この折り畳み状態で上枠１１を上方に持ち上げ、短辺側壁板１３とヒンジ板１５とを伸ばすようにして両短辺側壁板１３を立てた状態にした後、両長辺側壁板１４を回動させて両短辺側壁板１３の内面両側縁部間に立てた状態にすることにより、図１に示すように、短辺側壁板１３及び長辺側壁板１４が略直立状態となり、上枠１１及び底板１２の上下に対向する二辺間が短辺側壁板１３及び長辺側壁板１４によってそれぞれ閉塞された六面体形状の箱型に組み立てることができる。この組立状態では、両短辺側壁板１３の内面両側縁部間に長辺側壁板１４が進入し、長辺側壁板１４の両端面で短辺側壁板を起立状態に保持する状態となる。
【００１３】
この折り畳みコンテナは、組立状態におけるコンテナ内面が、一枚板からなる短辺側壁板１３及び長辺側壁板１４の四面で囲まれた状態となり、従来の折り畳みコンテナのような側板の連結部がコンテナ内面側に存在しないので、コンテナ内面を平滑面とすることができる。このようにしてコンテナ内面を平滑面とすることにより、コンテナ内に収納した物品を変形させたり、損傷させたりすることがなくなり、収納した物品を保護することができるとともに、運搬中等に物品が固化した場合でも容易に取り出すことができるようになる。さらに、多段積み時の上方からの荷重を短辺側壁板１３及び長辺側壁板１４の両方で受けることができるので、従来のようにあおり板のみで受けるものに比べて荷重強度を大幅に向上させることができる。
【００１４】
そして、折り畳んだ状態で下端部同士が重なり合う長辺側壁板１４にヒンジ板１５を設けていないので、コンテナを折り畳む際に、長辺側壁板１４を１枚ずつコンテナ内側に回動させることができ、下端部同士が衝突することが無くなって長辺側壁板１４の回動を円滑に行うことができる。一方、折り畳み時や組立時にヒンジ板１５により回動が規制される短辺側壁板１３は、折り畳んだ状態でも下端部同士が接触しないので、短辺側壁板１３のコンテナ内側への回動は何の問題もなく容易に行うことができる。
【００１５】
【発明の効果】
以上説明したように、本発明の折り畳みコンテナによれば、高さ寸法に対する短辺寸法が２倍未満で、長辺寸法が２倍以上の寸法関係を有する場合であっても、コンテナの折り畳みや組み立てを容易に行うことができる。さらに、コンテナ内面が全て平滑面となっているので、フィルム袋等に充填された液体状乃至ゲル状の醤油や油等、これらが常温乃至低温で固化するマーガリン、バター、チョコレート等を収納して保管、運搬するための収納容器として最適である。
【図面の簡単な説明】
【図１】組立状態の折り畳みコンテナを示す斜視図である。
【図２】短辺側壁板を示す要部の断面正面図である。
【図３】長辺側壁板を示す要部の断面側面図である。
【図４】折り畳み状態の折り畳みコンテナを示す要部の断面正面図である。
【符号の説明】
１１…上枠、１２…底板、１３…短辺側壁板、１３ａ…連結部、１４…長辺側壁板、１４ａ…連結部、１５…ヒンジ板、１６…ヒンジピン、１７…ヒンジ部、１８…ヒンジピン
【図１】
2005008179.tif 000003
【図２】
2005008179.tif 000004
【図３】
2005008179.tif 000005
【図４】
2005008179.tif 000006